(57)【要約】【課題】設備コストの低減を図るとともに、安全増しを図ることのできる機械式駐車装置の提供。【解決手段】乗降室３の外に設置され、撮像された画像を表示可能なモニタ２２および乗降室が無人であることを確認した後に操作されトレーの搬送許可を入力する無人確認ボタン２３を有する操作盤７を備えた機械式駐車装置において、駐車車両は、全天球カメラを有するドライブレコーダー１０と、ドライブレコーダー１０により撮像された画像の画像データを無線通信により送信する送信部１２とを備えるとともに、操作盤７は、画像データを受信する受信部２１を備え、ドライブレコーダー１０により撮像された画像をモニタ７により表示するようにしたものである。【選択図】図４
2020002697.tif 000002
【特許請求の範囲】
【請求項１】
外部と出入口ドアを介して連通し、運転手が駐車車両に乗降可能な乗降室と、前記駐車車両を格納可能な複数の格納部を有する格納室と、前記駐車車両を載置可能なトレーを有し、前記乗降室と前記格納部間で前記トレーを搬送する搬送装置と、前記乗降室の外に設置され、撮像された画像を表示可能なモニタおよび前記乗降室が無人であることを確認した後に操作され前記トレーの搬送許可を入力する無人確認ボタンを有する操作盤とを備えた機械式駐車装置において、
前記駐車車両は、カメラを有するドライブレコーダーと、前記ドライブレコーダーにより撮像された画像の画像データを無線通信により送信する送信部とを備えるとともに、前記操作盤は、前記画像データを受信する受信部を備え、前記ドライブレコーダーにより撮像された画像を前記モニタにより表示することを特徴とした機械式駐車装置。
【請求項２】
前記ドライブレコーダーは、全天球カメラを具備することを特徴とした請求項１に記載の機械式駐車装置。
【発明の詳細な説明】
【技術分野】
【０００１】
本発明は、乗降室と格納室間で駐車車両を搬送する搬送装置を備えた機械式駐車装置に関する。
【背景技術】
【０００２】
機械式駐車装置として、乗降室と格納室間で駐車車両を移動する搬送装置、例えば駐車車両の入出庫階と格納階を結ぶリフト装置を構成し、このリフト装置を使用してトレーに載置した駐車車両を異なる階床間で搬送するものがある。このような機械式駐車装置では、乗降室の外で同乗者や荷物を駐車車両から降ろした後に、運転手のみが駐車車両と共に乗降室に乗り込んでトレー上に駐車車両を載置し、運転手が乗降室から退室した後に、操作盤を操作してトレーを格納階へ移動する。すなわち、安全を確保するために、乗降室が無人の状態でリフト装置が駆動される。
【０００３】
しかし、乗降室外にいた同乗者が不用意に乗降室に侵入したり、車内に同乗者が残された状況で操作盤を操作したりしてしまうことや、運転手が乗降室にいる状態で第三者が誤って操作盤を操作してしまうことが想定されることから、従来、乗降室に、乗降室内を撮像するカメラを配置し、カメラの映像に人を発見したとき操作盤の操作を停止するようにしたものが開示されている（特許文献１）。
【先行技術文献】
【特許文献】
【０００４】
【特許文献１】特開２０１７−１２５３５８号公報
【発明の概要】
【発明が解決しようとする課題】
【０００５】
しかしながら、前述した特許文献に記載のものは、カメラを乗降室に設ける必要があることから、機械式駐車装置としての設備コストが嵩むという課題があった。また、乗降室に配置したカメラだと、駐車車両の内部を撮像することが難しく、車内に残った人を見落として格納処理を行ってしまう虞があった。
【０００６】
本発明の目的は、設備コストの低減を図るとともに、安全増しを図ることのできる機械式駐車装置を提供することにある。
【課題を解決するための手段】
【０００７】
前記目的を達成するために、本発明は、外部と出入口ドアを介して連通し、運転手が駐車車両に乗降可能な乗降室と、前記駐車車両を格納可能な複数の格納部を有する格納室と、前記駐車車両を載置可能なトレーを有し、前記乗降室と前記格納部間で前記トレーを搬送する搬送装置と、前記乗降室の外に設置され、撮像された画像を表示可能なモニタおよび前記乗降室が無人であることを確認した後に操作され前記トレーの搬送許可を入力する無人確認ボタンを有する操作盤とを備えた機械式駐車装置において、前記駐車車両は、カメラを有するドライブレコーダーと、前記ドライブレコーダーにより撮像された画像の画像データを無線通信により送信する送信部とを備えるとともに、前記操作盤は、前記画像データを受信する受信部を備え、前記ドライブレコーダーにより撮像された画像を前記モニタにより表示することを特徴としている。
【０００８】
このような構成によれば、駐車車両に搭載されるドライブレコーダーにより撮像された画像を操作盤のモニタに表示して乗降室内の状態を把握することができ、これによって、カメラを別途、乗降室に設けることなく安全を確認することができ、したがって、安全を確保しつつ設備コストの低減を図ることができる。
【０００９】
また、本発明は前述の構成に加えて、前記ドライブレコーダーは、全天球カメラを具備することを特徴としている。
【００１０】
このような構成によれば、駐車車両の前後左右および駐車車両内の様子を撮像し、乗降室に残された人や、駐車車両内に残された人を確実にモニタに表示することができ、これによって、安全性の向上を図ることができる。
【発明の効果】
【００１１】
本発明の機械式駐車装置によれば、設備コストの低減を図るとともに、安全増しを図ることができる。なお、前述した以外の課題、構成および効果は、以下の実施形態の説明により明らかにされる。
【図面の簡単な説明】
【００１２】
【図１】本発明の機械式駐車装置の本実施形態を示す乗降室の上面図である。
【図２】本実施形態における乗降室の正面図である。
【図３】本実施形態における乗降室の側面図である。
【図４】本実施形態における駐車車両を含む制御系を示すブロック構成図である。
【図５】本実施形態における操作盤の正面図である。
【図６】本実施形態における駐車車両と操作盤との間での通信状態を示す説明図である。
【発明を実施するための形態】
【００１３】
以下、本発明の機械式駐車装置を実施するための形態について、図を参照して説明する。
【００１４】
図１は、本発明の機械式駐車装置の本実施形態を示す乗降室の上面図、図２は、本実施形態における乗降室の正面図、図３は、本実施形態における乗降室の側面図である。
【００１５】
本実施形態の機械式駐車装置は、外部と出入口ドア１を介して連通し、運転手が駐車車両２から乗り降りする乗降室３と、駐車車両２を格納可能な複数の格納部を有する図示しない格納室と、乗降室３と格納部間で駐車車両２を移動する搬送装置、すなわち駐車車両２を搭載可能なトレー４を異なる階床間で移動するリフト装置５と、外部と連通し、非常時に用いられる非常口６と、出入口ドア１近傍に配置され、機械式駐車装置を操作する操作盤７とを備えている。
【００１６】
出入口ドア１は、例えば上下開閉式のものであり、トレー４との対向位置に配置され、駐車車両２が通過可能な幅寸法を有していると共に、通常時、駐車車両２の入出庫を行う運転手はここから出入りするようになっている。
【００１７】
リフト装置５は、図示しない制御装置により駐車車両２を搭載可能なトレー４を昇降させるものであり、このリフト装置５がトレー４を乗降室３の昇降口に位置させると、トレー４上面と乗降室３の床が略同一レベルとなり、駐車車両２の乗り入れ、乗り出しが可能となるとともに、運転手は安全に乗降することができる。
【００１８】
図４は、本実施形態における駐車車両を含む制御系を示すブロック構成図である。
【００１９】
駐車車両２は、カメラを有するドライブレコーダー１０と、ドライブレコーダー１０により撮像された画像の画像データをアンテナ１１を介して無線通信により送信する送信部１２とを備えている。ドライブレコーダー１０のカメラは、図１〜図３に示すように、例えば水平方向において３６０°、垂直方向において３６０°撮像することのできる全天球型のものであり、これによって、駐車車両２の周囲および駐車車両２の車内を撮像することができる。すなわち、近時、運転中の画像を録画するドライブレコーダーを車両に取り付ける車両所有者がますます増えているとともに、ドライブレコーダーに備えらえるカメラも多様化し、全方位を撮像することのできるいわゆる全天球カメラを搭載したものも存在している。本発明は、このような実状に鑑み、ドライブレコーダー１０により撮像される画像を用いて乗降室３の安全を確認するようにしたものである。
【００２０】
操作盤７は、送信部１２から送信される画像データをアンテナ２０を介して受信する受信部２１と、ドライブレコーダー１０により撮像された画像を表示可能なモニタ２２と、乗降室３が無人であることを確認した後に操作されトレー４の搬送許可を入力する無人確認ボタン２３とを備えているとともに、ボタン操作に対応した処理を行う処理部３０に接続されている。ドライブレコーダー１０で撮像された画像の画像データは、リアルタイムで操作盤７に送られてモニタ２２により表示される。このモニタ２２の表示で乗降室３内の安全が確認されるようになっている。
【００２１】
処理部３０は、通常の機械式機械式駐車装置で知られた構成で、乗降室３に乗り込んだ駐車車両２の運転手或いは管理人によって出入り口ドア１を閉操作するためのボタンが操作されたとき出入り口ドア１の閉処理を行うドア閉処理部３１と、ドア閉処理による出入り口ドア１の閉動作完了後に、一連の格納処理を行う格納処理部３２とを含んで構成されている。
【００２２】
図５は、本実施形態における操作盤の正面図である。
【００２３】
操作盤７には、前述したように、ドライブレコーダー１０により撮像された画像を表示可能なモニタ２２と、乗降室３が無人であることを確認した後に操作されトレー４の搬送許可を入力する無人確認ボタン２３とが備えられている。
【００２４】
図６は、本実施形態における駐車車両と操作盤との間での通信状態を示す説明図である。
【００２５】
詳細な説明については後述するが、駐車車両２の送信部１２と操作盤７の受信部２１との間で無線通信可能状態となると、送信部１２から画像データが送信され、ドライブレコーダー１０で撮像された画像がモニタ２２に表示される。
【００２６】
本実施形態にあっては、駐車車両２を入庫する場合、乗降室３の外で同乗者や荷物を駐車車両２から降ろした後に、運転手が駐車車両２を運転して出入口ドア１を介して乗降室３に乗り入れ、トレー４に車両を載置する。この後、運転手は駐車車両２から降り、出入口ドア１から乗降室３の外へと退室する。この間、ドライブレコーダー１０はカメラにより撮像を継続している。そして、ドライブレコーダー１０により撮像された画像の画像データは、送信部１２によりアンテナ１１を介して送信される。送信部１２と操作盤７の受信部２１との間で無線通信可能状態となると、送信部１２から送信された画像データは、アンテナ２０を介して操作盤７の受信部２１で受信され、モニタ２２にドライブレコーダー１０で撮像された画像が表示される。
【００２７】
そして、運転手が乗降室３の外へ出た後、運転手自身、或いは管理人がモニタ２２の画像で乗降室３内に人がいないことを確認すると、運転手自身、或いは管理人は操作盤７の無人確認ボタン２３を操作する。この操作に応じてトレー４の搬送許可が入力され、処理部３０のドア閉処理部３１は、出入り口ドア１を閉じ、次いで、出入り口ドア１の閉動作完了後に、格納処理部３２は、リフト装置５を駆動して駐車車両２を搭載したトレー４を格納室へと搬送して格納する。
【００２８】
一方、乗降室３の外で降ろした同乗者、特に子どもが不用意に乗降室３に侵入したり、車内に同乗者が残された状況で操作盤７を操作したりしてしまうことや、運転手が乗降室３にいる状態で第三者が誤って操作盤７を操作してしまうことが想定される。このような事態が生じるとドライブレコーダー１０は、図１〜３に示すように、駐車車両２の前後左右にいる人や、背の低い子ども、駐車車両２内に残された人を撮像し、画像データが操作盤７に送られ、モニタ２２により表示される。このモニタ２２の画像を確認した運転手自身、或いは管理人は、乗降室３内に残った人を外に出し、完全を確認したうえで操作盤７の無人確認ボタン２３を操作して、駐車車両２の入庫を行う。
【００２９】
以上説明したように本発明は、外部と出入口ドア１を介して連通し、運転手が駐車車両２に乗降可能な乗降室３と、駐車車両２を格納可能な複数の格納部を有する図示しない格納室と、駐車車両２を載置可能なトレー４を有し、乗降室３と格納部間でトレー４を移動する搬送装置、すなわちリフト装置５と、乗降室３の外に設置され、撮像された画像を表示可能なモニタ２２および乗降室３が無人であることを確認した後に操作されトレー４の搬送許可を入力する無人確認ボタン２３を有する操作盤７とを備えた機械式駐車装置において、駐車車両２は、カメラを有するドライブレコーダー１０と、ドライブレコーダー１０により撮像された画像の画像データを無線通信により送信する送信部１２とを備えるとともに、操作盤７は、画像データを受信する受信部２１を備え、ドライブレコーダー１０により撮像された画像をモニタ２２により表示することを特徴とする。
【００３０】
このような構成によれば、駐車車両２に搭載されるドライブレコーダー１０により撮像された画像を操作盤７のモニタ２２に表示して乗降室３内の状態を把握することができ、これによって、カメラを別途、乗降室３に設けることなく安全を確認することができ、したがって、安全を確保しつつ設備コストの低減を図ることができる。
【００３１】
また、本発明は前述の構成に加えて、ドライブレコーダー１０は、全天球カメラを具備することを特徴とする。
【００３２】
このような構成によれば、駐車車両２の前後左右および駐車車両２内の様子を撮像し、乗降室３に残された人や、駐車車両内に残された人を確実にモニタ２２に表示することができ、これによって、安全性の向上を図ることができる。
【００３３】
以上、本発明の機械式駐車場装置の実施形態について、その作用効果も含めて説明した。しかしながら、本発明の機械式駐車場装置は、上述した実施形態に限定されるものではなく、特許請求の範囲に記載した発明の要旨を逸脱しない範囲内で種々の変形実施例が可能である。
【符号の説明】
【００３４】
１  出入口ドア
２  駐車車両
３  乗降室
４  トレー
５  リフト装置（搬送装置）
７  操作盤
１０  ドライブレコーダー
１１，２０  アンテナ
１２  送信部
２１  受信部
２２  モニタ
２３  無人確認ボタン
【図１】
2020002697.tif 000003
【図２】
2020002697.tif 000004
【図３】
2020002697.tif 000005
【図４】
2020002697.tif 000006
【図５】
2020002697.tif 000007
【図６】
2020002697.tif 000008